【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
ディスク記憶装置に適用される衝撃検出回路において、
ショックセンサの出力信号に基づき第１のゲインで増幅された第１の周波数帯域の信号成分を外乱フィードフォワード制御のための信号として出力する第１の増幅回路と、
前記ショックセンサの出力信号に基づき第２のゲインで増幅された第２の周波数帯域の信号成分を出力する第２の増幅回路と、
前記第２の増幅回路の出力信号のレベルを予め定められた閾値と比較することにより衝撃検出の有無を示すライトフォルトの判定のための信号を出力するコンパレータと
を具備することを特徴とする衝撃検出回路。
【請求項２】
前記第１の周波数帯域の低周波側のカットオフ周波数が、前記第２の周波数帯域の低周波側のカットオフ周波数よりも低く設定され、前記第２の周波数帯域の低周波側のカットオフ周波数が商用交流電源の周波数よりも高く設定されていることを特徴とする請求項１記載の衝撃検出回路。
【請求項３】
前記第１の増幅回路は、前記ショックセンサの出力信号から前記第１の周波数帯域の信号成分を抽出する第１のフィルタと、前記第１のフィルタの出力信号を前記第１のゲインで増幅して、増幅された信号を前記外乱フィードフォワード制御のための信号として出力する第１の増幅器とを含み、
前記第２の増幅回路は、前記ショックセンサの出力信号から前記第２の周波数帯域の信号成分を抽出する第２のフィルタと、前記第２のフィルタの出力信号を前記第２のゲインで増幅して、増幅された信号を前記コンパレータに出力する第２の増幅器とを含む
ことを特徴とする請求項１記載の衝撃検出回路。
【請求項４】
前記第２の増幅回路は、前記第２のフィルタの出力信号を前記第２のゲインよりも低い第３のゲインで増幅する第３の増幅器と、前記第３の増幅器の出力信号のレベルを予め定められた閾値と比較することにより衝撃検出の有無を示す信号であって、衝撃発生回数のカウントまたは前記ヘッドを所定箇所に強制的に退避させるための強制ヘッドアンロードのための信号として出力する、前記コンパレータとは別のコンパレータとを更に含むことを特徴とする請求項３記載の衝撃検出回路。
【請求項５】
前記第２の増幅回路は、前記第２のフィルタの出力信号を第３のゲインで増幅する第３の増幅器と、前記第３の増幅器の出力信号のレベルを前記閾値とは別の当該閾値よりも高い予め定められた閾値と比較することにより衝撃検出の有無を示す信号であって、衝撃発生回数のカウントまたは前記ヘッドを所定箇所に強制的に退避させるための強制ヘッドアンロードのための信号として出力する、前記コンパレータとは別のコンパレータとを更に含むことを特徴とする請求項３記載の衝撃検出回路。
【請求項６】
ディスク記憶装置に適用される衝撃検出回路において、
ショックセンサの出力信号を入力する帯域フィルタと、
前記帯域フィルタの出力信号を第１のゲインで増幅して、増幅された信号を外乱フィードフォワード制御のための信号として出力する第１の増幅器と、
前記帯域フィルタの出力信号を第２のゲインで増幅する第２の増幅器と、
前記第２の増幅器の出力信号のレベルを予め定められた閾値と比較することにより衝撃検出の有無を示すライトフォルトの判定のための信号を出力するコンパレータと
を具備することを特徴とする衝撃検出回路。
【請求項７】
ディスク記憶装置に適用される衝撃検出回路において、
ショックセンサの出力信号を増幅する増幅器と、
前記増幅器の出力信号から第１の周波数帯域の信号成分を抽出して、抽出された信号成分を外乱フィードフォワード制御のための信号として出力する第１のフィルタと、
前記増幅器の出力信号から第２の周波数帯域の信号成分を抽出する第２のフィルタと、
前記第２のフィルタの出力信号のレベルを予め定められた閾値と比較することにより衝撃検出の有無を示すライトフォルトの判定のための信号を出力するコンパレータと
を具備することを特徴とする衝撃検出回路。
【請求項８】
ディスクへのデータの書き込み及び当該ディスクからのデータの読み出しがヘッドにより行われるディスク記憶装置において、
外乱フィードフォワード制御を実行する外乱フィードフォワード制御手段と、
ヘッドによるデータ書き込み中における衝撃発生に起因するライトフォルトを判定するライトフォルト判定手段と、
前記ディスク記憶装置に加えられる衝撃をアナログ信号に変換するショックセンサと、
請求項１乃至３のいずれかに記載の衝撃検出回路と、
前記衝撃検出回路の前記第１の増幅回路から出力される前記外乱フィードフォワード制御のための信号をデジタル値に変換するアナログ／ディジタル変換器とを具備し、
前記外乱フィードフォワード制御手段は前記アナログ／ディジタル変換器から出力されるデジタル値に基づいて前記外乱フィードフォワード制御を実行し、
前記ライトフォルト判定手段は前記衝撃検出回路の前記コンパレータから出力される前記ライトフォルトの判定のための信号に基づいて前記ライトフォルトを判定する
ことを特徴とするディスク記憶装置。
【請求項９】
前記アナログ／ディジタル変換器から出力されるデジタル値と前記ヘッドの目標トラックの目標位置からのずれ量とに基づき、前記デジタル値に対応する前記ショックセンサの出力信号の振幅が前記ずれ量と比較して小さいかを判定する第１の判定手段と、
前記アナログ／ディジタル変換器から出力されるデジタル値に基づき、当該デジタル値に対応する前記ショックセンサの出力信号の振幅が予め定められた一定レベルよりも大きいか判定する第２の判定手段と、
前記ショックセンサの出力信号の振幅が小さい場合には前記第１の増幅器の前記第１のゲインを上げ、前記ショックセンサの出力信号の振幅が大きい場合には前記第１の増幅器の前記第１のゲインを下げるゲイン可変手段と
を更に具備することを特徴とする請求項８記載のディスク記憶装置。
【請求項１０】
ディスクへのデータの書き込み及び当該ディスクからのデータの読み出しがヘッドにより行われるディスク記憶装置において、
外乱フィードフォワード制御を実行する外乱フィードフォワード制御手段と、
ヘッドによるデータ書き込み中における衝撃発生に起因するライトフォルトを判定するライトフォルト判定手段と、
前記ディスク記憶装置に加えられる衝撃が検出された衝撃検出回数のカウントまたは前記前記ディスク記憶装置に加えられる衝撃の検出に応じて前記ヘッドを所定箇所に強制的に退避させる強制ヘッドアンロードを実行する衝撃検出回数カウント／強制ヘッドアンロード手段と、
前記ディスク記憶装置に加えられる衝撃をアナログ信号に変換するショックセンサと、
請求項４または請求項５に記載の衝撃検出回路と、
前記衝撃検出回路の前記第１の増幅回路に含まれる前記第１の増幅器から出力される前記外乱フィードフォワード制御のための信号をデジタル値に変換するアナログ／ディジタル変換器とを具備し、
前記外乱フィードフォワード制御手段は、前記アナログ／ディジタル変換器から出力されるデジタル値に基づいて前記外乱フィードフォワード制御を実行し、
前記ライトフォルト判定手段は、前記衝撃検出回路の前記コンパレータから出力される前記ライトフォルトの判定のための信号に基づいて前記ライトフォルトを判定し、
前記衝撃検出回数カウント／強制ヘッドアンロード手段は、前記別のコンパレータから出力される前記強制ヘッドアンロードのための信号に基づいて前記衝撃発生回数のカウントまたは前記強制ヘッドアンロードを実行する
ことを特徴とするディスク記憶装置。